(57)【要約】【課題】早期廃止が可能な廃棄物処分場の埋め立て方法の提供。【解決手段】この廃棄物処分場の埋め立て方法は、加水したアルカリ性廃棄物５を圧送管６内に送り込むとともに、圧送管６内に二酸化炭素を含む中和ガス７を供給し、アルカリ性廃棄物５を中和ガス７によって多数の塊状に分断させた状態で圧送し、廃棄物プラグ８に中和ガス７を混錬させ、それによって中和した処理済み廃棄物９を廃棄物処分場に投入することによって、埋立て完了後に即時又は早期に廃止することができる。【選択図】図２
2020025925.tif 000002
【特許請求の範囲】
【請求項１】
加水したアルカリ性廃棄物を圧送管内に送り込むとともに、該圧送管内に二酸化炭素を含む中和ガスを供給し、前記アルカリ性廃棄物を前記中和ガスによって多数の塊状に分断させた状態で圧送し、前記アルカリ性廃棄物に前記中和ガスを混錬させた処理済み廃棄物を廃棄物処分場に投入することを特徴とする廃棄物処分場の埋め立て方法。
【請求項２】
前記中和ガスは、二酸化炭素濃度が４〜２０％である請求項１に記載の廃棄物処分場の埋め立て方法。
【請求項３】
事前の実験において、所定の液固比に調整した前記アルカリ性廃棄物に所定の二酸化炭素濃度の中和ガスを混錬させ、所定のｐＨまで低下するまでに要する時間を計測し、その結果に基づいて前記アルカリ性廃棄物の液固比及び圧送距離を調整する請求項１又は２に記載の廃棄物処分場の埋め立て方法。
【請求項４】
火力発電所、焼却施設又は工場から排出される排気ガスを前記中和ガスとして供給する請求項1〜３の何れか一に記載の廃棄物処分場の埋め立て方法。
【請求項５】
前記アルカリ性廃棄物に酸を添加した水を加水する請求項1〜４の何れか一に記載の廃棄物処分場の埋立て方法。
【発明の詳細な説明】
【技術分野】
【０００１】
本発明は、廃止後に土地資源として有効活用が期待される海面廃棄物処分場等の廃棄物処分場の埋め立て方法に関する。
【背景技術】
【０００２】
従来、焼却灰、石炭灰等のアルカリ性廃棄物は、海面廃棄物処分場で処分されることも多く、石炭灰については、加水してスラリー状とした後、ポンプ圧送により隣接する廃棄物処分場に埋め立てられることが知られている。
【０００３】
しかしながら、この種のアルカリ性廃棄物には、多くのカルシウムが含有されており、このアルカリ性廃棄物が投入された廃棄物処分場の保有水は、高アルカリとなることが多く、雨水の浸透に伴って高アルカリの浸出水が発生する。
【０００４】
一方、埋立て終了後の廃棄物処分場跡地は、廃止基準等を満たすことによって、土地資源として有効に活用することができるようになるが、埋立て終了後も長期間ｐＨや化学的酸素要求量（以下、ＣＯＤという）の基準を満たすことができず、廃棄物処分場を廃止できない場合がある。
【０００５】
特に、海面廃棄物処分場においては、その保有水が中性付近からｐＨ１３以上まで幅広い値を示し、４割程度の廃棄物処分場では、排水基準のｐＨ９．０を超えており、ＣＯＤについても同様に、４割程度の廃棄物処分場で基準の９０ｍｇ／Ｌを超えているという調査報告もされている。
【０００６】
そこで、従来では、焼却灰等を湿潤状態で大気に晒し、二酸化炭素によって炭酸化するエージング処理による重金属類の不溶化、分級処理による汚染物質の除去や細粒分の選別等によって埋め立て材を前処理し、早期安定化を図る方法が知られている。
【０００７】
また、予め廃棄物処分場の建設時に吐出管を廃棄物の貯留空間の底面に敷設しておき、その吐出管より二酸化炭素等の中和ガスを供給し、埋立て地盤を中和する方法も提案されている（例えば、特許文献１を参照）。
【先行技術文献】
【特許文献】
【０００８】
【特許文献１】特開２０００−２３７７３５号公報
【発明の概要】
【発明が解決しようとする課題】
【０００９】
しかしながら、エージング処理や分級処理による従来の技術は、主に重金属や化学的酸素要求量（ＣＯＤ）や全窒素（Ｔ-Ｎ）を対象としており、ｐＨに対する有効な対策となり得ていなかった。
【００１０】
一方、特許文献１の如き従来の技術では、二酸化炭素を含む中和ガスを供給するための吐出管を予め敷設しなければならず、規模が大きく内水位が高い海面廃棄物処分場や、既に廃棄物を受け入れている海面廃棄物処分場に適用することが困難であるという問題があった。
【００１１】
また、中和ガスは、吐出管より吐出されるため、吐出管の埋設位置によって中和ガスの影響が及ぶ範囲が限定的となるという問題もあった。
【００１２】
そこで、本発明は、このような従来の問題に鑑み、早期廃止が可能な廃棄物処分場の埋め立て方法の提供を目的としてなされたものである。
【課題を解決するための手段】
【００１３】
上述の如き従来の問題を解決するための請求項1に記載の発明の特徴は、加水したアルカリ性廃棄物を圧送管内に送り込むとともに、該圧送管内に二酸化炭素を含む中和ガスを供給し、前記アルカリ性廃棄物を前記中和ガスによって多数の塊状に分断させた状態で圧送し、前記アルカリ性廃棄物に前記中和ガスを混錬させた処理済み廃棄物を廃棄物処分場に投入することにある。
【００１４】
請求項２に記載の発明の特徴は、請求項１の構成に加え、前記中和ガスは、二酸化炭素濃度が４〜２０％であることにある。
【００１５】
請求項３に記載の発明の特徴は、請求項１又は２の構成に加え、事前の実験において、所定の液固比に調整した前記アルカリ性廃棄物に所定の二酸化炭素濃度の中和ガスを混錬させ、所定のｐＨまで低下するまでに要する時間を計測し、その結果に基づいて前記アルカリ性廃棄物の液固比及び圧送距離を調整することにある。
【００１６】
請求項４に記載の発明の特徴は、請求項１〜３の何れか一の構成に加え、火力発電所、焼却施設又は工場から排出される排気ガスを前記中和ガスとして供給することにある。
【００１７】
請求項５に記載の発明の特徴は、請求項1〜４の何れか一の構成に加え、前記アルカリ性廃棄物に酸を添加した水を加水することにある。
【発明の効果】
【００１８】
本発明に係る廃棄物処分場の埋め立て方法は、請求項１に記載の構成を具備することによって、処分場に投入される廃棄物のｐＨを低減することができ、埋立て完了後早期に処分場を廃止することができる。
【００１９】
また、本発明において、請求項２に記載の構成を具備することによって、アルカリ性廃棄物のｐＨを低減することができる。
【００２０】
さらに、本発明において、請求項３に記載の構成を具備することによって、事前調査に基づいて効果的な条件設定ができ、効率よく廃棄物の中和を行うことができる。
【００２１】
さらにまた、本発明において、請求項４に記載の構成を具備することによって、火力発電所、焼却施設又は工場より排出される排気ガスを利用し、効率的に廃棄物の中和を図ることができる。
【００２２】
また、本発明において、請求項５に記載の構成を具備することによって、十分に圧送距離を確保し難い場合、中和ガスの二酸化炭素濃度が低い場合、アルカリ性廃棄物のｐＨが高い場合等に、必要に応じてｐＨの低下を促進することができる。
【図面の簡単な説明】
【００２３】
【図１】本発明に係る廃棄物処分場の埋め立て方法の実施態様を示す概略図である。
【図２】図1中の圧送管路内の状態を説明するための部分拡大断面図である。
【図３】同上の廃棄物処分場の埋め立て方法の手順を示すフローチャートである。
【図４】事前試験結果の一例を示すグラフである。
【発明を実施するための形態】
【００２４】
次に、本発明に係る廃棄物処分場の埋め立て方法の実施態様を図１〜図３に示した実施例に基づいて説明する。尚、図中符号１は海面廃棄物処分場、符号２は圧送装置である。
【００２５】
この海面廃棄物処分場１は、遮水護岸によって区画された貯留空間３が形成され、この貯留空間３内に焼却施設・石炭火力発電所等の廃棄物排出源４から発生した廃棄物を投入し、埋め立てるようになっている。
【００２６】
この廃棄物処分場１の埋め立ては、図１に示す圧送装置２を使用し、加水してアルカリ性廃棄物５を流動性を有する状態にして圧送管６内に送り込むとともに、圧送管６内に二酸化炭素を含む中和ガス７を供給し、アルカリ性廃棄物５を中和ガス７によって多数の塊状の廃棄物プラグ８に分断させた状態で圧送し、廃棄物プラグ８に中和ガス７を混錬させた処理済み廃棄物９を廃棄物処分場１に投入するようになっている。
【００２７】
圧送装置２は、符号１０〜１３の構成を具備するものとし、符号１０は、加水してアルカリ性廃棄物５を、スラリー状等の流動性を有する状態にする加水処理手段、符号１１は加水処理手段１０において流動性を有する状態としたアルカリ性廃棄物５を圧送管６内に送り出す廃棄物供給手段、符号１２は圧送用気体供給口、符号１３は中和ガス圧送用のポンプである。
【００２８】
そして、圧送装置２は、ガス供給源１４より供給された中和ガス７を圧送用気体供給口１２より圧送管６内に高圧で注入することによって、図２に示すように、アルカリ性廃棄物５が中和ガス７によって挟まれた多数の塊状、即ち、廃棄物プラグ８，８…となって搬送される。
【００２９】
加水処理手段１０は、火力発電所等の廃棄物排出源４より排出された石炭灰、焼却灰等のアルカリ性廃棄物５を加水処理し、流動性を有する状態に調節するようになっている。
【００３０】
中和ガス７は、火力発電所、焼却施設又は工場等のガス供給源１４より、二酸化炭素濃度が４〜２０％、温度が６０〜２００℃の状態でポンプ１３に供給され、ポンプ１３で所定の圧力に圧縮され、圧縮された状態で圧送管６内に注入されるようになっている。
【００３１】
この中和ガス７は、例えば、焼却施設又は工場等のガス供給源１４において、ボイラから１１００℃程度まで加熱されたガスが脱硝装置、電気集塵機、脱硫装置等の処理装置を順次経ることによって６０〜２００℃程度まで冷却された状態でポンプ１３に供給される。
【００３２】
また、二酸化炭素濃度は、ガスを排出するガス供給源１４の態様によって異なり、例えば、発電所の場合で１２〜１４％、製鉄所の場合で約２０％、清掃工場の場合で約４〜１０％となって排出される。
【００３３】
次に、この装置を使用した具体的な埋め立て方法について図３を基づいて説明する。
【００３４】
先ず、事前準備として、焼却施設・石炭火力発電所等の廃棄物排出源４より排出された焼却灰、石炭灰等のアルカリ性廃棄物５の粒度、ｐＨ等を確認するとともに（ｓ１）、ガス供給源１４より供給される中和ガス７の二酸化炭素濃度、ガス採取位置等を確認する（ｓ２）。
【００３５】
次に、事前準備で確認された中和ガス７の二酸化炭素濃度に基づき、事前試験を行う（ｓ３）。
【００３６】
事前試験は、１００ｍｌ容器に５０ｍｌの純水を満たし、その容器に所定の液固比（Ｌ／Ｓ）となるようにアルカリ性廃棄物５（焼却灰、石炭灰）を投入し、蓋をした後、容器上部に所定の二酸化炭素濃度の中和ガス７を置換し、それぞれ一定時間振とう機によって攪拌した後、各攪拌時間のｐＨを測定した。
【００３７】
以下に事前実験結果の一例を図４に示す。
【００３８】
この実験例では、二酸化炭素濃度１０％の中和ガス７を使用し、それぞれ液固比（Ｌ／Ｓ）１、液固比（Ｌ／Ｓ）２、液固比（Ｌ／Ｓ）３とした場合の攪拌時間に対するｐＨを測定した。
【００３９】
図４に示すように、使用した焼却灰、石炭灰は、ともに攪拌時間の経過とともにｐＨが低下することが確認でき、液固比が２以上の場合に攪拌時間１分以上で海面処分場の浸出水の基準ｐＨ５〜９を満たした。
【００４０】
この結果から二酸化炭素濃度１０％の条件において、液固比２以上、圧送時間（混錬時間）１分以上を必要とすることが確認される。
【００４１】
そして、事前実験から得られた結果に基づいて、アルカリ性廃棄物５への加水量（液固比）、最小圧送距離、中和ガス供給量を設定し（ｓ４）、実際の現地の状況に合わせて圧送管６を調節して設置し、実際の埋め立て作業（ｓ５）を開始する。
【００４２】
埋め立て作業は、先ず、廃棄物排出源４より排出された焼却灰、石炭灰を必要に応じて解砕、篩い分けした後、その焼却灰、石炭灰に対し加水処理手段１０で所定量の加水をし、液固比を調整してアルカリ性廃棄物５を流動性を有する状態に生成し、それを廃棄物供給手段１１に投入する。
【００４３】
尚、十分に圧送管６の圧送距離を確保し難い場合、中和ガス７の二酸化炭素濃度が低い場合、アルカリ性廃棄物５のｐＨが高い場合等には、中和を促進するために必要に応じてアルカリ性廃棄物５に酸を添加した水を加水して流動性を有する状態にするようにしてもよい。
【００４４】
廃棄物供給手段１１に投入されたアルカリ性廃棄物５は、圧送管６内に送り込まれ、そこに圧送用気体供給口１２を通して高圧の二酸化炭素を含む中和ガス７が送り込まれる。
【００４５】
これによって、圧送管６内に送り込まれた流動性を有する状態のアルカリ性廃棄物５は、中和ガス７によって挟まれた多数の塊状の廃棄物プラグ８として圧送管６内を移動する。
【００４６】
圧送管６路中を移動する廃棄物プラグ８は、図２に示すように、圧送管６との摩擦によって内部に生ずる乱流１５の攪拌効果によって廃棄物プラグ８の前後を挟む中和ガス７を内部に取り込み、それと混錬される。
【００４７】
また、圧送管６路中を移動する廃棄物プラグ８は、設定された最小圧送距離以上の距離を移動することによって、所定の混錬時間が確保され、中和された状態の処理済み廃棄物９となって圧送管６の先端より廃棄物処分場１の貯留空間３内に投入される。
【００４８】
そして、廃棄物処分場１の貯留空間３に投入された処理済み廃棄物９のｐＨ、浸出水のｐＨを定期的に観測し（ｓ６）、ｐＨが所定の数値まで低下していない場合には、条件を見直し（ｓ７）、加水量を増やす、加水に酸を添加した水を使用する、加水する際の酸の濃度を変更する、中和ガス７の供給量を増やす、最小圧送距離を長くする等の対応を行う（ｓ８）。
【００４９】
そして、上記の工程を経て、貯留空間３の圧送管６吐出口周辺の埋め立てが進行したときは、ｓ４の工程で設定された条件に基づき圧送管６を移動させ、貯留空間３への吐出口位置を変更して埋め立てを行う（ｓ５）。
【００５０】
そして、必要に応じて条件の見直し（ｓ７）及び対応実施（ｓ８）を行いつつ、圧送管設置・埋立て作業（ｓ５）、モニタリング（ｓ６）を貯留空間３が満たされるまで繰り返す。
【００５１】
このように構成された廃棄物処分場１の埋め立て方法は、圧送用の気体に二酸化炭素を含む中和ガス７を使用することによって、廃棄物プラグ８が管中混合効果によって廃棄物プラグ８の前後を挟む中和ガス７と混錬され、ｐＨが低減された状態で廃棄物処分場１に投入されるので、処分場に投入されるアルカリ性廃棄物５のｐＨを低減することができ、埋立て完了後に即時又は早期に処分場を廃止することができる。
【００５２】
また、この方法では、事前試験に基づいて効果的な条件設定ができ、効率よく廃棄物の中和を行うことができる。
【００５３】
さらに、この方法では、焼却灰や石炭灰に鉛等が含まれる場合には、二酸化炭素を含む中和ガス７との反応によって炭酸化が進行し、鉛等の不溶化処理も併せて行われる。また、二酸化炭素を含むガスを中和に使用するため、中和ガスを過剰に供給した場合でも、ｐＨが極端に低下して重金属が溶出することは無い。
【００５４】
尚、上述の実施例では、中和ガス７として火力発電所、焼却施設又は工場の排出ガスを使用した場合について説明したが、中和ガス７の供給源は、これに限定されない。
【符号の説明】
【００５５】
１  海面廃棄物処分場
２  圧送装置
３  貯留空間
４  廃棄物排出源
５  アルカリ性廃棄物
６  圧送管
７  中和ガス
８  廃棄物プラグ
９  処理済み廃棄物
１０  加水処理手段
１１  廃棄物供給手段
１２  圧送用気体供給口
１３  ポンプ
１４  ガス供給源
１５  乱流
【図１】
2020025925.tif 000003
【図２】
2020025925.tif 000004
【図３】
2020025925.tif 000005
【図４】
2020025925.tif 000006